(57)【要約】【課題】数多くの装身具を一度に展示でき、全体が目視しやすく、装身具の出し入れが容易で、しかも小型の陳列ケースを提供することにある。【解決手段】一対の側面部２と底面部３と上面部４とで周囲を囲み、後面を背面部７で覆って空間部５を形成した筺体１からなり、上面部４は側面部２に面する方向に伸びた複数本の隙間８ａ〜８ｃと桟部４ａ〜４ｃで構成し、鎖状の装身具１３の先端部を隙間８ａ〜８ｃから空間部５に挿入して吊り下げ、複数個の装身具１３が上下及び前後の位置において重ならないように取付け、装身具１３を前面から目視し得るようにしたものである。【選択図】図１
2012050576.tif 000002
【特許請求の範囲】
【請求項１】
少なくとも上面部と底面部と背面部で囲まれ、正面から目視可能な空間部を形成する筺体を備え、
前記上面部は、その一方の側縁から他方の側縁へ向かう方向に伸び、前記正面から後面へ向かう方向に並んで設けられた複数の隙間を有し、
前記背面部は、外側に突出した複数の突起部を有し、
複数の鎖状装身具の一方端を前記複数の突起部において係止し、当該複数の鎖状装身具の他方端を前記複数の隙間から前記空間部に挿入して吊り下げるようにした、
陳列ケース。
【請求項２】
前記複数の突起部の少なくとも一部は、前記底面部から前記上面部へ向かう方向へ縦に並んでおり、
当該縦に並んだ一群の突起部において長さが同等な複数の前記鎖状装身具の一方端を係止し、当該複数の鎖状装身具の他方端を互いに異なる前記隙間から前記空間部に挿入して吊り下げた場合に、一の前記隙間から吊り下げた前記鎖状装身具の先端部が当該一の隙間より正面側にある隙間から吊り下げた鎖状装身具の背後に隠れないように、当該縦に並んだ複数の突起部の前記上面部からの距離がそれぞれ設定されている、
請求項１に記載の陳列ケース。
【請求項３】
前記縦に並んだ一群の突起部において長さが同等な複数の前記鎖状装身具の一方端を係止し、より下側にある前記突起部に係止した前記鎖状装身具をより正面側にある前記隙間から吊り下げた場合に、一の前記隙間から吊り下げた前記鎖状装身具の先端部が当該一の隙間より正面側にある隙間から吊り下げた鎖状装身具の背後に隠れないように、当該縦に並んだ複数の突起部の前記上面部からの距離がそれぞれ設定されている、
請求項２に記載の陳列ケース。
【請求項４】
前記上面部は、前記隙間の縁部から後面側へ延びた複数の溝を有し、
前記鎖状装身具を前記溝で案内して前記隙間から吊り下げるようにした、
請求項３に記載の陳列ケース。
【請求項５】
前記縦に並んだ一群の突起部に対応する一対の前記溝が、前記複数の隙間にそれぞれ設けられており、
リング状に結ばれた前記鎖状装身具の一方端を前記突起部に係止し、前記一方端から別れた前記鎖状装身具の２つの鎖を前記一対の溝で案内するようにした、
請求項４に記載の陳列ケース。
【請求項６】
前記一対の溝は、対応する前記一群の突起部の各突起部に対して等距離の対称な位置に形成される、
請求項５に記載の陳列ケース
【請求項７】
前記縦に並んだ一群の突起部が、前記背面部において横に並んで複数併設された、
請求項６に記載の陳列ケース。
【請求項８】
前記突起部は、第１係合部を有し、
前記背面部は、前記第１係合部と係り合って前記突起部を着脱自在に固定する複数の第２係合部を有する、
請求項６又は７に記載の陳列ケース
【発明の詳細な説明】
【技術分野】
【０００１】
本発明は、ペンダントやネックレス等の鎖状の装身具を店頭において陳列する陳列ケースに関するものである。
【背景技術】
【０００２】
従来から鎖状の装身具であるペンダントやネックレス等を店頭に陳列する場合には、陳列棚の上に直接並べて置いて展示するか、又は、平板状の基板パネルの表面に並べて固定して基板パネル自体を取り出し可能に展示している。
【０００３】
あるいは、陳列棚の上に横に伸びた棒を有する支持部材を設置し、この棒に複数のペンダントやネックレスをぶら下げたり、棒の代わりに備え付けたフックに鎖の端部を引っかけて吊るして展示する場合もある。
【先行技術文献】
【特許文献】
【０００４】
【特許文献１】特開２００５−３０４９３９号公開特許公報
【特許文献２】特開２００５−２８７６３４号公開特許公報
【発明の概要】
【発明が解決しようとする課題】
【０００５】
しかしながら、ペンダント等を平面上に並べて展示する場合は、見栄えが悪く且つ展示面積が限られ、展示できるペンダントの数が制限されるという問題がある。
【０００６】
また、棒やフックにぶら下げて展示する場合には、奥にぶら下がっているペンダントが手前のペンダントに隠れて良く見えないという問題がある。しかも、商品であるペンダントを顧客が手に取って眺める場合に、ペンダント同士の鎖が絡みつき易く、ケースからの出し入れが煩雑であるという問題がある。加えて、奥に掛かったペンダントを取り外すには手前に掛かったペンダントを全て取り外さなければならず、取り外しが非常に面倒であるという問題がある。
【０００７】
また、一般にペンダントの長さは、４０ｃｍ程度の鎖をリング状にするため約２０ｃｍになる。従って、ペンダントを吊るして展示するためには、ケースの高さが２０ｃｍ以上必要となり、小型化が難しいという問題点がある。
【０００８】
本発明はかかる事情に鑑みてなされたものであり、その目的は、数多くの装身具を一度に陳列でき、全体を目視しやすく、装身具の出し入れが容易で、しかも小型の陳列ケースを提供することにある。
【課題を解決するための手段】
【０００９】
本発明に係る陳列ケースは、少なくとも上面部と底面部と背面部で囲まれ、正面から目視可能な空間部を形成する筺体を備え、前記上面部は、その一方の側縁から他方の側縁へ向かう方向に伸び、前記正面から後面へ向かう方向に並んで設けられた複数の隙間を有し、前記背面部は、外側に突出した複数の突起部を有し、複数の鎖状装身具の一方端を前記複数の突起部において係止し、当該複数の鎖状装身具の他方端を前記複数の隙間から前記空間部に挿入して吊り下げるようにしたものである。
【００１０】
好適に、前記複数の突起部の少なくとも一部は、前記底面部から前記上面部へ向かう方向へ縦に並んでおり、当該縦に並んだ一群の突起部において長さが同等な複数の前記鎖状装身具の一方端を係止し、当該複数の鎖状装身具の他方端を互いに異なる前記隙間から前記空間部に挿入して吊り下げた場合に、一の前記隙間から吊り下げた前記鎖状装身具の先端部が当該一の隙間より正面側にある隙間から吊り下げた鎖状装身具の背後に隠れないように、当該縦に並んだ複数の突起部の前記上面部からの距離がそれぞれ設定されている。
【００１１】
例えば、前記縦に並んだ一群の突起部において長さが同等な複数の前記鎖状装身具の一方端を係止し、より下側にある前記突起部に係止した前記鎖状装身具をより正面側にある前記隙間から吊り下げた場合に、一の前記隙間から吊り下げた前記鎖状装身具の先端部が当該一の隙間より正面側にある隙間から吊り下げた鎖状装身具の背後に隠れないように、当該縦に並んだ複数の突起部の前記上面部からの距離がそれぞれ設定されている。
【００１２】
好適に、前記上面部は、前記隙間の縁部から後面側へ延びた複数の溝を有する。前記鎖状装身具は、前記溝で案内して前記隙間から吊り下げるようにする。
【００１３】
好適に、前記縦に並んだ一群の突起部に対応する一対の前記溝が、前記複数の隙間にそれぞれ設けられている。リング状に結ばれた前記鎖状装身具の一方端を前記突起部に係止し、前記一方端から別れた前記鎖状装身具の２つの鎖を前記一対の溝で案内するようにする。
【００１４】
好適に、前記一対の溝は、対応する前記一群の突起部の各突起部に対して等距離の対称な位置に形成される。
【００１５】
好適に、前記縦に並んだ一群の突起部が、前記背面部において横に並んで複数併設される。
【００１６】
好適に、前記突起部は第１係合部を有し、前記背面部は前記第１係合部と係り合って前記突起部を着脱自在に固定する複数の第２係合部を有する。
【発明の効果】
【００１７】
本発明によれば、複数個の装身具が上下及び前後の位置において重ならないように取付けられているため、前記装身具の全体を正面から確実に目視することができ、装身具の出し入れも容易にできる。
【図面の簡単な説明】
【００１８】
【図１】第1の実施形態に係る一部に装身具を吊り下げた陳列ケースの斜視図である。
【図２】第1の実施形態に係る装身具を吊り下げていない陳列ケースの上面図である。
【図３】第１の実施形態に係る一部に装身具を吊り下げた陳列ケースの背面図である。
【図４】第１の実施形態に係る陳列ケースの背面部の突起部を示す要部拡大斜視図である。
【図５】他の実施形態に係る陳列ケースの背面部の突起部を示す要部拡大斜視図である。
【図６】更に他の実施形態に係る陳列ケースの背面部の突起部を示す要部拡大斜視図である。
【発明を実施するための形態】
【００１９】
以下、本発明の第１の実施形態に係る陳列ケースについて、図面を参照して説明する。
図１は、本発明の第１の実施形態に係る陳列ケースの斜視図である。また、図２及び図
３は、本実施形態に係る陳列ケースのそれぞれ上面図及び背面図である。
【００２０】
筺体１は、左右に設けた一対の側面部２と底面部３と上面部４とで周囲が囲まれた空間部５を内部に形成する。筺体１の正面側は、外部から空間部５を目視できるように開口６としている。筺体１の後面側は、板状の背面部７によって塞がれている。なお、図１，図２の例において、背面部７は筺体１の側面部２，底面部３，上面部４と一体に形成されているが、これらと別体の背面部７によって筺体１の後面を塞ぐようにしてもよい。
【００２１】
上面部４は、左右の側縁の一方から他方へ向かう方向（横方向）に伸びた３つの隙間８ａ，８ｂ，８ｃを有する。隙間８ａ，８ｂ，８ｃは、この順番で正面から後面へ向かう方向に並んでいる。隙間８ａより正面側には、横方向に延びた縁部４ｄが形成される。隙間８ａと隙間８ｂの間には桟部４ａが形成される。隙間８ｂと隙間８ｃの間には桟部４ｂが形成される。隙間８ｃより後面側には桟部４ｃが形成される。なお図１，図２の例において桟部４ａ〜４ｃは上面部４と一体に形成されているが、別体の桟部４ａ〜４ｃを上面部４の開口部に組み合わせて隙間８ａ〜８ｃを形成するようにしてもよい。
【００２２】
隙間８ａ，８ｂ，８ｃの縁を形成する桟部４ａ，４ｂ，４ｃの上面には、後面側へ延びた複数の（図１，図２の例では７個の）溝４ｅがほぼ等間隔に設けられている。３つの桟部４ａ，４ｂ，４ｃに形成された３つの溝４ｅが、奥行き方向へ直線状に並んでいる。
【００２３】
各桟部において隣接する２つの溝４ｅ（一対の溝４ｅ）は、背面部７において縦方向に並んだ３つの突起部１２ａ〜１２ｃ（図３）に対応して設けられている。図１，図３に示すように、一群の突起部１２ａ〜１２ｃよって一方端を係止された鎖状の装身具１３は、これに対応する一対の溝４ｅによって案内され、隙間８ａ〜８ｃから空間部５へ吊り下げられる。
この一対の溝４ｅは、対応する一群の突起部１２ａ〜１２ｃの各突起部に対して等距離の対称な位置に形成される。すなわち、一群の突起部１２ａ〜１２ｃは、対応する一対の溝４ｅの中間に対応する位置に設けられる。
【００２４】
上面部４の縁部４ｄには、発光ダイオード（ＬＥＤ）からなる複数個（図の例では７個）の光源９が横方向に並んで埋設される。各光源９は桟部４ａ〜４ｃの隣接する２つの溝４ｅ（一対の溝４ｅ）の中間に対応する位置に設けられ、筺体１の空間部５を照明する。また同様に、筺体１の底面部３にも光源９と対応させてＬＥＤからなる光源１０が埋設され、筺体１の空間部５を照明するようになっている。
【００２５】
また、筺体１の一対の側面部２には、それぞれ上下方向に沿ってＬＥＤからなる複数個の光源１１ａ、１１ｂ及び１１ｃが埋設されている。両側面部２の上段に位置するそれぞれ２つの光源１１ａは上面部４の隙間８ａに対応する位置に設けられている。同様に、中段に位置するそれぞれ２つの光源１１ｂは上面部４の隙間８ｂに対応する位置に設けられており、下段に位置するそれぞれ２つの光源１１ｃは上面部４の隙間８ｃにそれぞれ対応する位置に設けられている。よって、側面部２の光源１１ａ，１１ｂ，１１ｃは上、中、下段の順に筺体１の正面側から奥側に設けられる。
【００２６】
背面部７の後側には、図２及び図３に示すように、外側へ突出した複数の突起部（１２ａ，１２ｂ，１２ｃ）が縦に7列、横に上段，中段，下段の３段に分けて整列して設けられている。上段には突起部１２ａ，中段には突起部１２ｂ，下段には突起部１２ｃが配置される。
縦方向に並んだ一群の突起部１２ａ〜１２ｃは、その横方向については、桟部４ａ〜４ｃにおいて隣接する２つの溝４ｅ（一対の溝）の中間に対応する位置に配置される。
【００２７】
また、突起部１２ａ〜１２ｃの縦方向の位置関係については、空間部５に吊り下げられた装身具１３の先端部を正面から目視した場合に、正面側の装身具１３によって奥側の装身具１３の先端部（ペンダントトップなどのチャーム１３ｂ）が隠れてしまわないような位置関係に設定される。
すなわち、縦に並んだ突起部１２ａ〜１２ｃによって長さの同等な３本の装身具１３の一方端をそれぞれ係止し、当該３本の装身具１３の他方端を互いに異なる隙間（８ａ〜８ｃ）から空間部５に挿入して吊り下げた場合（具体的には、より下側にある突起部に係止した装身具１３をより正面側にある隙間から空間部５へ吊り下げた場合）に、一の隙間から吊り下げた装身具１３の先端部が当該一の隙間より正面側にある隙間から吊り下げた装身具１３の背後に隠れてしまうことが無いように、突起部１２ａ〜１２ｃの上面部４からの距離がそれぞれ設定される。
【００２８】
突起部１２ａ〜１２ｃは、図４の背面部７の要部拡大斜視図に示すように直方体形状であり、下面の一部に切溝１２ｄを設けている。この切溝１２ｄによって、装身具１３の鎖１３ａの一方端が係止され、抜け止めされる。
【００２９】
ペンダントなどの鎖状の装身具１３は、リング状の鎖１３ａと、その先端に取り付けたペンダントトップなどのチャーム１３ｂからなる。鎖１３ａの長さは、例えば４０ｃｍ程度であり、この鎖１３ａをリング状に繋ぐため、装身具１３の全長は例えば２０ｃｍ程度となる。
【００３０】
装身具１３の筺体１への装着について、先ず筺体１の前面から眺めて最も左側の列へ装着する場合を説明する。鎖１３ａの先端部のチャーム１３ｂを筺体１の上部の隙間８ａから空間部５に挿入する。そして、チャーム１３ｂから左右に別れた２本の鎖１３ａの中間部を桟部４ａ〜４ｃの最も左側に位置する一対の溝４ｅにそれぞれ掛け渡し、鎖１３ａを一対の溝４ｅによって案内させながら後方に引き回し、鎖１３ａの後端部を背面部７の下段の突起部１２ｃに係止する。その結果、チャーム１３ｂが筺体１の空間部５の上段に吊り下げられる。
【００３１】
次の装身具１３は、上面部４の隙間８ｂにチャーム１３ｂを挿入し、桟部４ｂ，４ｃの最も左側に位置する一対の溝４ｅに左右の鎖１３ａの中間部を案内させながら後方に引き回し、鎖１３ａの後端部を背面部７の中段の突起部１２ｂに係止する。この装身具１３のチャーム１３ｂは、先に装着した装身具１３のチャーム１３ｂに対して下方に吊り下げられるため、先に装着した装身具１３の背後に隠れることはない。
【００３２】
更に次の装身具１３は、上面部４の隙間８ｃにチャーム１３ｂを挿入し、桟部４ｃの最も左側に位置する一対の溝４ｅに左右の鎖１３ａの中間部を案内させながら後方に引き回し、鎖１３ａの後端部を背面部７の上段の突起部１２ａに係止する。この装身具１３のチャーム１３ｂは、筺体１の空間部５において最も下段に吊り下げられ、先に装着した２つの装身具１３の背後に隠れることはない。
このように、縦方向に並んだ突起部１２ａ〜１２ｃによって吊り下げられる３つの装身具１３は、その先端部が筺体１の空間部５の上段、中段及び下段にそれぞれ別れて位置しているので、それぞれのチャーム１３ｂを筺体１の正面側から確実に目視できる。
【００３３】
また、この３つの装身具１３は、互いに異なる隙間（８ａ〜８ｃ）から空間部５に吊り下げられているので、筺体１の前後方向においても異なる場所に位置することになる。そして、最も正面側の隙間８ａに挿入される装身具１３が背面部７の最下段の突起部１２ｃに係止され、中間の隙間８ｂに挿入される装身具１３が中段の突起部１２ｂに係止され、最も後面側の隙間８ｃに挿入される装身具１３が最上段の突起部１２ａに係止される。すなわち、隙間８ａに挿入される装身具１３の鎖１３ａが最も外側に位置し、隙間８ｃに挿入される装身具１３の鎖１３ａが最も内側に位置し、隙間８ｂに挿入される装身具１３の鎖１３ａがこれらの中間に位置しており、これらのリング状の鎖１３ａが互いに交差していないので、外側，中間，内側のそれぞれに位置する装身具１３が互いに絡まることなく分離可能となっている。従って、筺体１からの装身具１３の出し入れの際に、鎖１３ａが互いに絡みつく心配がない。
【００３４】
次に、筺体１のその他の列に係る装身具１３の装着については、上述したのと同様な方法で順番に行うことができる。その結果、筺体１の前面から眺めて筺体１の空間部５に装身具１３のチャーム１３ｂを縦方向に上段、中段及び下段の３段、横方向に７列、前後方向に上段、中段及び下段の３段で配置することができる。すなわち、２１本の装身具１３のチャーム１３ｂを、空間部５のそれぞれ異なる場所に配置することができる。
【００３５】
上段に位置した装身具１３は、筺体１の両側の側面部２の隙間８ａに対応する位置に設けた光源１１ａにより明るく照らされる。同様に、中段の装身具１３は隙間８ｂに対応する光源１１ｂに照明され、下段の装身具１３は隙間８ｃに対応する光源１１ｃに照明される。また、上面部４の縁部４ｄと底面部３にそれぞれ埋設した各光源９及び１０は各列に対応しており、上方の光源９と下方の光源１０によって各列の装身具１３が照明される。
【００３６】
以上説明したように、本実施形態に係る陳列ケースによれば、筺体１の上面部４が側面部２に面する方向に伸びた複数本の隙間８ａ〜８ｃと桟部４ａ〜４ｃで構成され、鎖状の装身具１３の先端部を隙間８ａ〜８ｃから空間部５に挿入して吊り下げ、複数個の装身具１３が上下及び前後の位置において重ならないように取付け、装身具１３を前面から目視し得るようにしたものであるため、手前の装身具１３に隠れて奥の装身具１３が見えないという問題はなく、前後の位置も重ならないので、鎖１３ａが絡まる恐れもない。
【００３７】
また、本実施形態に係る陳列ケースによれば、装身具１３の鎖１３ａをリング状に結び、背面部７の裏面に複数の突起部１２ａ〜１２ｃを設け、リング状の鎖１３ａの後端部を突起部１２ａ〜１２ｃに係止し、鎖１３ａの中間部を桟部４ａ〜４ｃの上部で支えるようにしたので、鎖１３ａを背面部７の裏面に引き回すことで、従来のように装身具１３を平面上に並べて展示する場合や単に吊り下げて展示する場合に比較して、陳列ケースの小型化を図ることができるとともに、一度に陳列する装身具１３の数を増やすことができる。
【００３８】
また、本実施形態に係る陳列ケースによれば、突起部１２ａ〜１２ｃは背面部７の裏面の上下方向に並設し、下段の突起部１２ｃに係止した装身具１３は前方の隙間８ａから、上段の突起部１２ａに係止した装身具は後方の隙間４ｃからそれぞれ空間部５に挿入したものであるため、装身具１３の陳列ケースへの装着及び取り出しが極めて簡便で、鎖が絡まる恐れがない。すなわち、上述した陳列ケースによれば、従来のように奥の装身具を外すためには手前の装身具を先に外さなければならないという制約がなく、各装身具を任意の順番で陳列ケースから取り出しても鎖が絡まないという利点がある。また、装身具を任意の順番で陳列ケースに取り付けても、取り外し時に装身具の鎖が絡むことがないという利点がある。
【００３９】
また、本実施形態に係る陳列ケースによれば、桟部４ａ〜４ｃの上部に複数の溝４ｅを設け、リング状に繋がれた装身具１３の鎖１３ａの中間部を隣接する２つの溝４ｅでそれぞれ支えるようにしたので、装身具１３の陳列ケースへの装着及び取り出しが更に簡便となる。
【００４０】
次に、本発明の背面部７に設けた突起部１２ａ〜１２ｃの他の実施形態について図５により説明する。同図は陳列ケースの背面部７の突起部１２ａ〜１２ｃを示す要部拡大斜視図で、一つの突起部１２ａ、１２ｂ又は１２ｃのみを図示しているが、前述した実施形態と同様に複数個の突起部１２ａ〜１２ｃが３段に整列して設けられている。突起部１２ａ〜１２ｃは円錐形状であって、且つ先端が先広がりの広幅部１２ｅとなっている。装身具１３の鎖１３ａの後端部が突起部１２ａ〜１２ｃの円錐形状の側面に係止し、広幅部１２ｄにより抜け止めされる。
【００４１】
更に、突起部１２ａ〜１２ｃの他の実施形態について図６により説明する。同図は陳列ケースの背面部７の突起部１２ａ〜１２ｃを示す要部拡大斜視図で、一つの突起部１２ａ、１２ｂ又は１２ｃのみを図示している。突起部１２ａ〜１２ｃは円柱形状であり、側面の一部に凹部１２ｄが全周囲に亘り形成されている。装身具１３の鎖１３ａの後端部を突起部１２ａ〜１２ｃの凹部１２ｆに係止して抜け止めするものである。
【００４２】
更に、図示していないが、背面部がコルク材などの板からなり、針を備えた突起部の該針を背面部の裏面に突き刺して、突起部を背面部の裏面の任意の位置に着脱自在に取り付けられるようにしても良い。あるいは、突起部が備える第１係合部（例えば係合ピン）と係り合って突起部を着脱自在に固定する第２係合部（例えば係合孔）を背面部に複数設けて、背面部における突起部の固定位置を変更できるようにしてもよい。このように、背面部における突起部の固定位置を変更できるようにすることで、筺体１の空間部５に吊り下げられる装身具１３のチャーム１３ｂの位置を任意に変更することができる。
【００４３】
本発明は上述した実施形態に限定されるものではなく、種々のバリエーションを含んでいる。
【００４４】
例えば上述の実施形態では、筺体１の上面部４に３つの隙間８ａ〜８ｃと３つの桟部４ａ〜４ｃを設けているが、本発明はこれに限定されるものではなく、隙間と桟部をそれぞれ４本以上又は２本設けたものであっても良い。
【００４５】
また、上述の実施形態では、装身具１３がペンダントの場合で、先端部にチャーム１３ｂが取り付けられたものを例として挙げているが、本発明はこれに限定されない。装身具１３がネックレスの場合には、チャーム１３ｂのない鎖１３ａの先端部を筺体１の空間部５に吊り下げるようにしてもよい。
【００４６】
また、上述の実施形態では、筺体１の前面は開口６により開放したものを示したが、透明なプラスチック又はガラスにより塞いで内部を目視可能にしてもよい。
【００４７】
また、上述の実施形態では、空間部５の両側を一対の側面部２によって囲っているが、本発明はこれに限定されない。本発明の他の実施形態では、筺体の両側の側面部を省略して、側面方向から見た筺体がコ字型の形状を持つようにしてもよい。
【００４８】
また、上述の実施形態では、上面部４の隙間８ａ〜８ｃが外側に露出した状態となっているが、本発明はこれに限定されない。本発明の他の実施形態では、この隙間８ａ〜８ｃを覆い隠す天板を上面部４の上へ更に設けてもよい。これにより、全体的な美観を向上することができる。
【符号の説明】
【００４９】
１…筺体、２…側面部、３…底面部、４…上面部、４ａ〜４ｃ…第１〜第３の桟部、４ｄ…縁部、４ｅ…溝、５…空間部、７…背面部、８ａ〜８ｃ…第１〜第３の隙間、９、１０…光源、１１ａ〜１１ｃ…光源、１２ａ〜１２ｃ…突起部、１３…装身具、１３ａ…鎖、１３ｂ…チャーム
【図１】
2012050576.tif 000003
【図２】
2012050576.tif 000004
【図３】
2012050576.tif 000005
【図４】
2012050576.tif 000006
【図５】
2012050576.tif 000007
【図６】
2012050576.tif 000008